(57)【要約】  本発明の目的は、送信電力の設定値を受信側に伝送することで外部増幅器からの出力を所定に設定することである。  本発明の信号構成は、フレーム単位で、主データと、ヘッダ部分を示すＳＹＮＣパターンと主データの設定情報を示すビットパターンおよび余剰部分を有するＴＭＣＣとから構成される信号構成であって、ＴＭＣＣの中の余剰部分に送信装置の出力電力値を示すビットパターンを配置したことを特徴とする。
2017018102.tif 000002
【特許請求の範囲】
【請求項１】
フレーム単位で、主データと、ヘッダ部分を示すＳＹＮＣパターンと前記主データの設定情報を示すビットパターンおよび余剰部分を有するＴＭＣＣとから構成される信号構成において、
前記ＴＭＣＣの中の前記余剰部分に送信装置の出力電力値を示すビットパターンを配置したことを特徴とする信号構成。
【請求項２】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に送信装置の出力電力値を示すビットパターンを配置する手段を備えたことを特徴とする送信装置。
【請求項３】
フレーム単位で、主データと、ヘッダ部分を示すＳＹＮＣパターンと前記主データの設定情報を示すビットパターンおよび余剰部分を有するＴＭＣＣとから構成され、前記ＴＭＣＣの中の前記余剰部分に送信装置の出力電力値を示すビットパターンが配置された信号構成の伝送信号を受信し、受信した前記伝送信号より前記送信装置の出力電力値を示すビットパターンを抽出する手段を備えたことを特徴とする受信装置。
【請求項４】
請求項３記載の受信装置において、
さらに、抽出した前記出力電力値を示すビットパターンより前記出力電力値を再生して表示する手段を備えたことを特徴とする受信装置。
【請求項５】
フレーム単位で、主データと、ヘッダ部分を示すＳＹＮＣパターンと前記主データの設定情報を示すビットパターンおよび余剰部分を有するＴＭＣＣとから構成される信号構成において、
前記ＴＭＣＣの中の前記余剰部分に送信装置固有の識別情報を示すビットパターンと、送信装置の出力電力値を示すビットパターンを配置したことを特徴とする信号構成。
【請求項６】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に送信装置固有の識別情報を示すビットパターンと、送信装置の出力電力値を示すビットパターンを配置する手段を備えたことを特徴とする送信装置。
【請求項７】
フレーム単位で、主データと、ヘッダ部分を示すＳＹＮＣパターンと前記主データの設定情報を示すビットパターンおよび余剰部分を有するＴＭＣＣとから構成され、前記ＴＭＣＣの中の前記余剰部分に送信装置固有の識別情報を示すビットパターンに加え、送信装置の出力電力値を示すビットパターンが配置された信号構成の伝送信号を受信し、受信した前記伝送信号より前記送信装置固有の識別情報を示すビットパターンと、送信装置の出力電力値を示すビットパターンを抽出する手段を備えたことを特徴とする受信装置。
【請求項８】
請求項７記載の受信装置において、
さらに、抽出した前記送信装置固有の識別情報を示すビットパターンと、出力電力値を示すビットパターンより前記送信装置固有の識別情報と出力電力値を再生して表示する手段を備えたことを特徴とする受信装置。
【請求項９】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に前記送信装置が出力する信号を増幅する外部増幅器の出力電力値を示すビットパターンを配置する手段を備えたことを特徴とする送信装置。
【請求項１０】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に送信装置固有の識別情報を示すビットパターンと、送信装置が出力する信号を増幅する外部増幅器の出力電力値を示すビットパターンを配置する手段を備えたことを特徴とする送信装置。
【請求項１１】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に送信装置固有の識別情報を示すビットパターンと、送信装置が出力する信号を増幅する外部増幅器固有の識別情報のビットパターンと、外部増幅器の出力電力値を示すビットパターンを配置する手段を備えたことを特徴とする送信装置。
【請求項１２】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に前記送信装置が出力する信号を空間に放出する放射器固有の識別情報を示すビットパターンを配置する手段を備えたことを特徴とする送信装置。
【請求項１３】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に送信装置固有の識別情報を示すビットパターンと、送信装置が出力する信号を増幅する外部増幅器の出力電力値を示すビットパターンと、電力増幅された信号を空間に放出する放射器固有の識別情報を示すビットパターンを配置する手段を備えたことを特徴とする送信装置。
【請求項１４】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、
前記ＴＭＣＣの中の前記余剰部分に送信装置固有の識別情報を示すビットパターンと、送信装置が出力する信号を増幅する外部増幅器固有の識別情報のビットパターンと、外部増幅器の出力電力値を示すビットパターンと、電力増幅された信号を空間に放出する放射器固有の識別情報を示すビットパターンを配置する手段を備えたことを特徴とする送信装置。
【発明の詳細な説明】
【技術分野】
【０００１】
本発明は、フレーム単位で、主データと、ヘッダ部分を示すＳＹＮＣパターンと主データの設定情報を示すビットパターンと、余剰部分を有するＴＭＣＣから構成される信号構成および送信装置ならびに受信装置に関する。
【背景技術】
【０００２】
放送事業者にロードレース等の映像中継用として割り当てられている１．２ＧＨｚ帯と２．３ＧＨｚ帯がある。この周波数帯を用いたＦＰＵ（Field  Pickup  Unit）装置についてはＡＲＩＢ  ＳＴＤ−Ｂ５７（非特許文献１）にて規定されている。
本周波数帯はマイクロ波帯ＦＰＵ装置のようにチャンネルによる割り当てではなく、許可されている周波数帯域での割り当てとなり、この帯域内では１ＭＨｚステップでチャンネルを設定する。そして、周波数帯や、ＳＩＳＯ−ＯＦＤＭ（Single  Input  Single  Output  Orthogonal  Frequency  Division  Multiplexing）、ＭＩＭＯ−ＯＦＤＭ（Multi  Input  Multi  Output  Orthogonal  Frequency  Division  Multiplexing）といった伝送方式毎にＦＰＵ送信装置の最大出力電力を規定している。【０００３】
山間部で実施される駅伝競技などを中継するＦＰＵ装置には、送信装置に外部増幅器を接続し、電力増幅する運用形態で映像中継が実施される。
ＦＰＵで送信されるデータは送信制御部にて、ＯＦＤＭ（Orthogonal  Frequency  Division  Multiplexing）変調され、映像、音声その他のデータ、パイロット信号（ＣＰ：Continual  Pilot）、伝送制御情報（ＴＭＣＣ：Transmission  and  Multiplexing  Configuration  and  Control）、予備データ（ＡＵＸ）が一つのＯＦＤＭフレームに構成される。
ＴＭＣＣ信号は、送信システムから送出される信号の信号制御情報を含む。
送信制御部において、ＴＭＣＣ信号はＤＢＰＳＫ（Differential  Binary  Phase  Shift  Keying）変調を施され、マッピングではＱ軸上に配置される。【０００４】
先行技術文献としては、例えば、特許文献１に、ＴＭＣＣ信号の余剰ビットに送信装置固有の識別番号を搭載する方法の発明が開示されている。
【先行技術文献】
【特許文献】
【０００５】
【特許文献１】特開２００３−３０９５３６号公報
【非特許文献】
【０００６】
【非特許文献１】ＡＲＩＢ  ＳＴＤ−Ｂ５７「1.2GHz/2.3GHz帯テレビジョン放送番組素材伝送用可搬型ＯＦＤＭ方式デジタル無線伝送システム」、一般社団法人電波産業会
【発明の概要】
【発明が解決しようとする課題】
【０００７】
映像中継を実施する場合、受信装置に伝送パラメータや、チャンネル、伝搬路情報を示すコンスタレーション、遅延プロファイルが受信した映像信号とともに、受信装置から出力、または装置上に表示される。この映像を伝送結果として記録および保存するが、この映像には送信電力が表示されないため、別途、記録および保存する必要がある。
また、電力増幅器に実装する増幅器は周波数毎に特性が異なるため、送信周波数帯域毎に合わせた外部増幅器を使用する。これは送信の放射器においても同様であり、運用方法によって周波数帯域や偏波面、指向性を考慮した放射器を選択する。この構成情報は伝送情報に含まれていないため、別途、記録および保存する必要がある。【０００８】
受信機側で低電界により受信状況が悪化した場合において、仮に送信出力が誤って低く設定されていないか、受信基地で瞬時に確認する方法がない。
送信装置に外部増幅器を接続し、送信電力を増幅し発放する運用形態において、送信装置が外部増幅器をリモート制御する場合は、各伝送方式や周波数帯によって規定された最大送信電力を外部増幅器に対して設定可能である。
しかし、外部増幅器をローカル制御する場合、例えば１．２ＧＨｚ帯のＳＩＳＯ方式のフルモード最大値２５Ｗに設定された外部増幅器に対し、送信装置側で入力信号をハーフモードに切り替える場合、最大値１２．５Ｗであるにも関わらず、外部増幅器は規定を超える２５Ｗで送信してしまう恐れがある。【０００９】
また、送信信号は、準拠する規則に定められたサイドローブ特性を満たさなければならない。
電力増幅器の出力歪を少なくするために、送信器出力をある一定の電力、例えば、最大出力０．５Ｗであるところを０．１Ｗまで低下させ、サイドローブ特性がより良い信号を電力増幅器で増幅することで、歪特性を満たす手法が取れる。
しかしながら、送信装置と電力増幅器を個別に制御する場合では、誤って送信器ならびに電力増幅器を最大出力設定にしてしまうことで、電力増幅器の出力が歪んでしまい、サイドローブ特性が仕様割れしてしまう恐れがある。【００１０】
ＡＲＩＢ  ＳＴＤ−Ｂ５７に準拠したＭＩＭＯ−ＯＦＤＭ方式では、送信装置から異なる二つの信号が出力される。この出力は同じ電力で発放されることが望ましい。
その送信装置に二つの外部増幅器を接続し、送信電力を増幅し２波発放するＭＩＭＯ方式の運用において、外部増幅器をローカル制御する場合、一方の外部増幅器の送信電力を低く設定してしまう恐れがある。
本発明の目的は、送信電力の設定値を受信側に伝送することで外部増幅器からの出力を所定に設定することである。
【課題を解決するための手段】
【００１１】
本発明の信号構成は、フレーム単位で、主データと、ヘッダ部分を示すＳＹＮＣパターンと主データの設定情報を示すビットパターンおよび余剰部分を有するＴＭＣＣとから構成される信号構成であって、ＴＭＣＣの中の余剰部分に送信装置の出力電力値を示すビットパターンを配置したことを特徴とする。【００１２】
また、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置の出力電力値を示すビットパターンを配置する手段を備えたことを特徴とする。【００１３】
また、本発明の受信装置は、フレーム単位で、主データと、ヘッダ部分を示すＳＹＮＣパターンと主データの設定情報を示すビットパターンおよび余剰部分を有するＴＭＣＣとから構成され、ＴＭＣＣの中の余剰部分に送信装置の出力電力値を示すビットパターンが配置された信号構成の伝送信号を受信し、受信した伝送信号より送信装置の出力電力値を示すビットパターンを抽出する手段を備えたことを特徴とする。【００１４】
また、本発明の受信装置は、上述の受信装置であって、さらに抽出した出力電力値を示すビットパターンより出力電力値を再生して表示する手段を備えたことを特徴とする。【００１５】
本発明の信号構成は、フレーム単位で、主データと、ヘッダ部分を示すＳＹＮＣパターンと主データの設定情報を示すビットパターンおよび余剰部分を有するＴＭＣＣとから構成される信号構成であって、ＴＭＣＣの中の余剰部分に送信装置固有の識別情報を示すビットパターンと、送信装置の出力電力値を示すビットパターンを配置したことを特徴とする。【００１６】
また、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置固有の識別情報を示すビットパターンと、送信装置の出力電力値を示すビットパターンを配置する手段を備えたことを特徴とする。【００１７】
また、本発明の受信装置は、フレーム単位で、主データと、ヘッダ部分を示すＳＹＮＣパターンと主データの設定情報を示すビットパターンおよび余剰部分を有するＴＭＣＣとから構成され、ＴＭＣＣの中の余剰部分に送信装置固有の識別情報を示すビットパターンに加え、送信装置の出力電力値を示すビットパターンが配置された信号構成の伝送信号を受信し、受信した伝送信号より送信装置固有の識別情報を示すビットパターンと、送信装置の出力電力値を示すビットパターンを抽出する手段を備えたことを特徴とする。【００１８】
また、本発明の受信装置は、上述の受信装置であって、さらに抽出した送信装置固有の識別情報を示すビットパターンと、出力電力値を示すビットパターンより送信装置固有の識別情報と出力電力値を再生して表示する手段を備えたことを特徴とする。【００１９】
本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置が出力する信号を増幅する外部増幅器の出力電力値を示すビットパターンを配置する手段を備えたことを特徴とする。【００２０】
また、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置固有の識別情報を示すビットパターンと、送信装置が出力する信号を増幅する外部増幅器の出力電力値を示すビットパターンを配置する手段を備えたことを特徴とする。【００２１】
また、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置固有の識別情報を示すビットパターンと、送信装置が出力する信号を増幅する外部増幅器固有の識別情報のビットパターンと、外部増幅器の出力電力値を示すビットパターンを配置する手段を備えたことを特徴とする。【００２２】
また、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置が出力する信号を空間に放出する放射器固有の識別情報を示すビットパターンを配置する手段を備えたことを特徴とする。【００２３】
また、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置固有の識別情報を示すビットパターンと、送信装置が出力する信号を増幅する外部増幅器の出力電力値を示すビットパターンと、電力増幅された信号を空間に放出する放射器固有の識別情報を示すビットパターンを配置する手段を備えたことを特徴とする。【００２４】
さらに、本発明の送信装置は、フレーム単位で、主データと、ヘッダ部分を示すＳＹＮＣパターンと主データの設定情報を示すビットパターンおよび余剰部分を有するＴＭＣＣとから構成される信号構成を送信する送信装置であって、ＴＭＣＣの中の余剰部分に送信装置固有の識別情報を示すビットパターンと、送信装置が出力する信号を増幅する外部増幅器固有の識別情報のビットパターンと、外部増幅器の出力電力値を示すビットパターンと、電力増幅された信号を空間に放出する放射器固有の識別情報を示すビットパターンを配置する手段を備えたことを特徴とする。
【発明の効果】
【００２５】
本発明によれば、送信電力の設定値を受信側に伝送することで外部増幅器からの出力を所定に設定することができる。
【図面の簡単な説明】
【００２６】
【図１】本発明の実施例１における信号構成を説明するための図である。
【図２】本発明の実施例１における送信装置の構成図である。
【図３】本発明の実施例１における受信装置の構成図である。
【図４】本発明の実施例１における表示部の表示内容を説明するための図である。
【図５】本発明の実施例２における信号構成を説明するための図である。
【図６】本発明の実施例２における送信装置の構成図である。
【図７】本発明の実施例２における受信装置の構成図である。
【図８】本発明の実施例２における表示部の表示内容を説明するための図である。
【図９】本発明の実施例３における信号構成を説明するための図である。
【図１０】本発明の実施例３における送信系装置の構成図である。
【図１１】本発明の実施例３における表示部の表示内容を説明するための図である。
【図１２】本発明の実施例４における信号構成を説明するための図である。
【図１３】本発明の実施例４における表示部の表示内容を説明するための図である。
【図１４】本発明の実施例５における信号構成を説明するための図である。
【図１５】本発明の実施例５における送信系装置の構成図を説明するための図である。
【図１６】本発明の実施例５における表示部の表示内容を説明するための図である。
【発明を実施するための形態】
【００２７】
以下、本発明の実施形態について図面を参照して詳細に説明する。（実施例１）   図１は本発明の実施例１における信号構成を説明するための図である。
図１において、信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信電力値を示すビットパターンを配置するＴＭＣＣ２からなるＴＭＣＣから構成される。
設定情報は、全てにおいて、基本となるモードに関する情報である。
【００２８】
図２は本発明の実施例１における送信装置の構成図である。
図２は、図１の信号構成の伝送信号を生成して送信する送信装置の構成を示す。
送信装置２０は、エンコーダ部２１、伝送路符号化部２２、主データ変調部２３、ＴＭＣＣ１生成部２４、ＯＦＤＭフレーム構成部２５、送信出力値出力部２６で構成されている。
【００２９】
映像入力は、ＭＰＥＧ−２エンコーダ部２１に入力され圧縮データＤａｔａとなる。この圧縮データが主データとなる。変調モード等の設定情報が補助データとなる。
圧縮データＤａｔａは、伝送路符号化部２２ によりデータＤｓとなる。
伝送路符号化部２２では、例えば、２０４Ｗ（ワード）周期に存在するコード４７ｈを検出し、８周期毎に４７ｈをＢ８ｈに置換するとともに、特定のパターンで信号を反転するエネルギー拡散処理を行い、データ順を並べ替えるインタリーブを行い、訂正用のパリティを付加しデータＤｓを作る。１Ｗは８ビットであるから、１３０５６ビット毎にＢ８ｈが存在することになる。
【００３０】
データＤｓは、主データ変調部２３に入力される。例えば、所定データ毎にマッピングされ主データＤ となる。
主データＤを作成する条件である設定情報（正しくは設定情報を示すビットパターン） が、主データ変調部２３のモード設定端子とＴＭＣＣ１発生部２４へ入力される。
主データ変調部２３は、ＴＭＣＣ１発生部２４からのフレームパルスに応じて変調動作を行う。
【００３１】
ＯＦＤＭフレーム構成部２５は、主データ変調部２３から出力されたＤａｔａと、ＴＭＣＣ１と、送信出力値出力部２６から出力された送信出力値であるＴＭＣＣ２と、ＣＰと、ＡＵＸ（Auxiliary）と、ＮＵＬＬが入力されると、ＯＦＤＭ変調され、１３０ＭＨｚを中心とした帯域約１７ＭＨｚのマルチキャリアからなるＯＦＤＭ信号を出力する。
【００３２】
図３は本発明の実施例１における受信装置の構成図である。
図３は、図１の信号構成の伝送信号を受信する受信装置の構成を示す。
受信装置３０は、分離部３１、主データ復調部３２、伝送路復号化部３３、デコーダ部３４、ＴＭＣＣ復号部３５、送信出力値復号部３６、受信支援画面生成部３７、表示部３８で構成されている。
【００３３】
図示していない受信アンテナに到達した電波のＲＦ信号は、図示していない受信高周波部に入力される。受信高周波部は微弱な信号を増幅し、１３０ＭＨｚ帯の中間周波信号ＩＦに変換する。このＩＦ信号は分離部３１に入力される。
このＩＦ信号は、分離部３１によって、主データＤとＴＭＣＣとに分離復調される。主データＤは主データ復調部３２に入力され、ＴＭＣＣはＴＭＣＣ復号部３５と送信出力値復号部３６に入力される。なおＴＭＣＣ復号部３５が入力データから抽出した情報を基に再生したフレームパルスを、主データ復調部３２に送る。
【００３４】
分離部３１、主データ復調部３２は、フレームパルスを基準として復調を行う。
さらに、ＴＭＣＣ復号部３５が抽出した各種設定情報は、主データ復調部３２のモード設定端子に接続され、出力データＤｓを作成する条件を決定する。主データ復調部３２の出力データＤｓは、伝送路復号化部３３に入力される。
【００３５】
この伝送路復号化部３３は、例えば１３０５６ビット周期に存在するＢ８ｈのコードを検出し、この位置を基準に発生したパルスより、逆エネルギー拡散のパターンを発生させる。次に、この逆エネルギー拡散のパターン信号を用いて、データＤｓの逆処理を行い、かつエラー訂正を行い、Ｄａｔａを復元して、ＭＰＥＧ−２のデコーダ部３４に送る。
ＭＰＥＧ−２のデコーダ部３４では、復元したＤａｔａをデータ伸長し、送信装置２０での圧縮前のデータに戻す。
【００３６】
送信出力値復号部３６は、ＴＭＣＣから送信出力値を復号して受信支援画面生成部３７に出力する。受信支援画面生成部３７は送信出力値を画像信号に変換して表示部３８に出力する。表示部３８は送信出力値を含む画像信号を表示する。
【００３７】
図４は本発明の実施例１における表示部の表示内容を説明するための図である。
図４は、図３に示した受信装置で生成される受信支援画面の一例を示す。
受信支援画面４０は、送信電力値４１、Bit  Error  Rate４２、受信電界値４３、多値変調のコンスタレーション４４、遅延プロファイル４５を表示する。
送信電力値４１は、例えば、ＴＸ（Transmitter、送信装置）  １．０Ｗ等である。
【００３８】
（実施例２）   図５は本発明の実施例２における信号構成を説明するための図である。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターンと、送信電力値を示すビットパターンを配置するＴＭＣＣ２からなるＴＭＣＣから構成される。
【００３９】
図６は本発明の実施例２における送信装置の構成図である。
図６は、図５の信号構成の伝送信号を生成して送信する送信装置の構成を示す。
送信装置６０は、エンコーダ部２１、伝送路符号化部２２、主データ変調部２３、ＴＭＣＣ１生成部２４、ＯＦＤＭフレーム構成部２５、ＴＭＣＣ２生成部６８で構成されている。
ＴＭＣＣ２生成部６８は、送信出力値出力部２６と識別情報生成部６７で構成されている。
図２との相違点は、送信装置６０固有の情報である識別情報と、送信出力値を、ＴＭＣＣ２に含めた点にある。
なお、送信装置６０の識別情報は、型名や機器ＩＤ（Identfier）等である。
【００４０】
図７は本発明の実施例２における受信装置の構成図である。
図７は、図５の信号構成の伝送信号を受信する受信装置の構成を示す。
受信装置７０は、分離部３１、主データ復調部３２、伝送路復号化部３３、デコーダ部３４、ＴＭＣＣ復号部３５、送信出力値復号部３６、識別情報復号部７９、受信支援画面生成部３７、表示部３８で構成されている。
図３との相違点は、送信装置６０の識別情報を復号するための識別情報復号部７９を追加したことである。
【００４１】
図８は本発明の実施例２における表示部の表示内容を説明するための図である。
図８は、図７の受信支援画面生成部３７の出力である受信支援画面を示す。
受信支援画面８０は、送信電力値４１、Bit  Error  Rate４２、受信電界値４３、多値変調のコンスタレーション４４、遅延プロファイル４５、チャネルおよび伝送方式情報８６、識別情報８７を表示する。
チャネルおよび伝送方式情報８６は、例えば、１２５０Ｆ  ＳＩＳＯ  ＰＲＥ０１等である。また、識別情報８７は、例えば、ＦＰＵ−ＴＸ１等である。
【００４２】
（実施例３）   図９は本発明の実施例３における信号構成を説明するための図である。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターン、電力増幅器固有の識別情報を示すビットパターンと、増幅後の電力値を示すビットパターンを配置するＴＭＣＣ２からなるＴＭＣＣから構成される。
【００４３】
図１０は本発明の実施例３における送信系装置の構成図である。
図１０は、図５の信号を生成する送信装置６０の送信信号の電力増幅を行う電力増幅器が接続される。
また、図１０は、ＡＲＩＢ  ＳＴＤ−Ｂ５７のＭＩＭＯ−ＯＦＤＭ伝送の装置構成を示している。
送信系装置１００は、送信装置６０に対して、周波数帯域に合わせた特性を持つ電力増幅器が、送信１系、送信２系の２系統分、合わせて４台の電力増幅器１０１〜１０４を備えている。４台の電力増幅器は、例えば、１．２ＧＨｚ帯用電力増幅器１（１０１）、１．２ＧＨｚ帯用電力増幅器２（１０２）、２．３ＧＨｚ帯用電力増幅器１（１０３）、２．３ＧＨｚ帯用電力増幅器２（１０４）である。
電力増幅器１０１〜１０４から送信装置６０に、機器固有の識別信号が伝送される。これは、例えば、ＲＳ−２３２Ｃなどのシリアル信号を送信信号とは別に通信することで実現できる。
なお、電力増幅器１０１〜１０４の識別情報は、型名や機器ＩＤ等である。
【００４４】
図１１は本発明の実施例３における表示部の表示内容を説明するための図である。
図１１は、図１０の送信系装置１００から送信された電波を図７の受信装置で受信した場合の表示部３８に表示される受信支援画面１１０を示す。
受信支援画面１１０は、送信電力値４１、Bit  Error  Rate４２、受信電界値４３、多値変調のコンスタレーション４４、遅延プロファイル４５、チャネルおよび伝送方式情報８６、識別情報８７、増幅器種別情報１１８を表示する。
増幅器種別情報１１８は、例えば、１．２Ｇ−ＰＡ１等である。
【００４５】
（実施例４）   図１２は本発明の実施例４における信号構成を説明するための図である。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターンと、送信電力値を示すビットパターン、電力増幅器固有の識別情報を示すビットパターンと、増幅後の電力値を示すビットパターンを配置するＴＭＣＣ２からなるＴＭＣＣから構成される。
【００４６】
送信系装置の構成は図１０と同じである。
【００４７】
図１３は本発明の実施例４における表示部の表示内容を説明するための図である。
図１３は、図１０の送信系装置１００から送信された電波を図７の受信装置で受信した場合の表示部３８に表示される受信支援画面１３０を示す。
受信支援画面１３０は、送信電力値４１、Bit  Error  Rate４２、受信電界値４３、多値変調のコンスタレーション４４、遅延プロファイル４５、チャネルおよび伝送方式情報８６、識別情報８７、増幅器種別情報１１８、送信機電力値１３９を表示する。
送信機電力値１３９は、例えば、ＴＸ  ０．１０Ｗ等である。
【００４８】
（実施例５）   図１４は本発明の実施例５における信号構成を説明するための図である。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターンと、送信電力値を示すビットパターン、電力増幅器固有の識別情報を示すビットパターンと、増幅後の電力値を示すビットパターン、放射器固有の識別信号を示すビットパターンを配置するＴＭＣＣ２からなるＴＭＣＣから構成される。
【００４９】
図１５は本発明の実施例５における送信系装置の構成図を説明するための図である。
各電力増幅器１０１〜１０４は、各々の送信信号を空間に放出する放射器１５５〜１５８が接続される。
送信装置６０は、１．２ＧＨｚ帯用電力増幅器１（１０１）を介して１．２ＧＨｚ帯用放射器１（１５５）と接続し、１．２ＧＨｚ帯用電力増幅器２（１０２）を介して１．２ＧＨｚ帯用放射器２（１５６）と接続し、２．３ＧＨｚ帯用電力増幅器１（１０３）を介して２．３ＧＨｚ帯用放射器１（１５７）と接続し、２．３ＧＨｚ帯用電力増幅器２（１０４）を介して２．３ＧＨｚ帯用放射器２（１５８）と接続する。
電力増幅器１０１〜１０４と放射器１５５〜１５８の間は、複数本の伝送線で接続され、放射器側でその線端をオープンまたはショートさせ、それを増幅器側でビットに見立て、機器情報とすることで、放射器の識別信号を実現することが出来る。
なお、放射器１５５〜１５８の識別情報は、型名や機器ＩＤ等である。
【００５０】
図１６は本発明の実施例５における表示部の表示内容を説明するための図である。
図１６は、図１５の送信系装置１５０から送信された電波を図７の受信装置で受信した場合の表示部３８に表示される受信支援画面１３０を示す。
受信支援画面１６０は、送信電力値４１、Bit  Error  Rate４２、受信電界値４３、多値変調のコンスタレーション４４、遅延プロファイル４５、チャネルおよび伝送方式情報８６、識別情報８７、増幅器種別情報１１８、送信機電力値１３９、放射器識別情報１６１を表示する。
放射器識別情報１６１は、例えば、２−ＣＯＬ  Ｖ等である。
【００５１】
本発明の実施形態である信号構成および送信装置ならびに受信装置は、送信電力の設定値を受信側に伝送することで外部増幅器からの出力を所定に設定することができる。
【００５２】
なお、ＦＰＵで双方向の通信を行う場合は、本発明の実施形態である送信電力の設定値を相手側に伝送することで、相手側の送信電力を制御することもできる。
【００５３】
以上本発明について詳細に説明したが、本発明は、ここに記載された信号構成および送信装置ならびに受信装置に限定されるものではなく、上記以外の信号構成および送信装置ならびに受信装置に広く適用することができることは言うまでもない。
【産業上の利用可能性】
【００５４】
送信系装置から送信電力の設定値を受信側に伝送することによって、受信側の過負荷による故障を低減したい用途にも適用できる。
【符号の説明】
【００５５】
２０，６０：送信装置、２１：エンコーダ部、２２：伝送路符号化部、２３：主データ変調部、２４：ＴＭＣＣ１生成部、２５：ＯＦＤＭフレーム構成部、２６：送信出力値出力部、３０，７０：受信装置、３１：分離部、３２：主データ復調部、３３：伝送路復号化部、３４：デコーダ部、３５：ＴＭＣＣ復号部、３６：送信出力値復号部、３７：受信支援画面生成部、３８：表示部、６７：識別情報生成部、６８：ＴＭＣＣ２生成部、７９：識別情報復号部、１００，１５０：送信系装置、１０１：１．２ＧＨｚ帯用電力増幅器１、１０２：１．２ＧＨｚ帯用電力増幅器２、１０３：２．３ＧＨｚ帯用電力増幅器１、１０４：２．３ＧＨｚ帯用電力増幅器２、１５５：１．２ＧＨｚ帯用放射器１、１５６：１．２ＧＨｚ帯用放射器２、１５７：２．３ＧＨｚ帯用放射器１、１５８：２．３ＧＨｚ帯用放射器２。
【図１】
2017018102.tif 000003
【図２】
2017018102.tif 000004
【図３】
2017018102.tif 000005
【図４】
2017018102.tif 000006
【図５】
2017018102.tif 000007
【図６】
2017018102.tif 000008
【図７】
2017018102.tif 000009
【図８】
2017018102.tif 000010
【図９】
2017018102.tif 000011
【図１０】
2017018102.tif 000012
【図１１】
2017018102.tif 000013
【図１２】
2017018102.tif 000014
【図１３】
2017018102.tif 000015
【図１４】
2017018102.tif 000016
【図１５】
2017018102.tif 000017
【図１６】
2017018102.tif 000018
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
フレーム単位で、映像素材である主データと、ヘッダ部分を示すＳＹＮＣパターンと前記主データの設定情報を示すビットパターンおよび余剰部分を有するＴＭＣＣとから構成されるＯＦＤＭ信号を送信する送信装置において、
前記ＴＭＣＣの中の前記余剰部分に送信装置の出力電力値を示すビットパターンを配置して送信することを特徴とする送信装置。
【請求項２】
請求項１記載の送信装置であって、
更に、前記ＴＭＣＣの中の前記余剰部分に送信装置固有の識別情報を示すビットパターンを配置して送信することを特徴とする送信装置。
【請求項３】
請求項１又は請求項２記載の送信装置であって、
送信する信号を増幅する外部増幅器を備え、
前記ＴＭＣＣの中の前記余剰部分に前記外部増幅器が出力する出力電力値を示すビットパターンを配置して送信することを特徴とする送信装置。
【請求項４】
請求項３記載の送信装置であって、
前記ＴＭＣＣの中の前記余剰部分に前記外部増幅器の固有の識別情報のビットパターンを配置して送信することを特徴とする送信装置。
【請求項５】
請求項１乃至請求項４のいずれかに記載の送信装置であって、
送信する信号を空間に放出する放射器を備え、
前記ＴＭＣＣの中の前記余剰部分に前記放射器の固有の識別情報を示すビットパターンを配置して送信することを特徴とする送信装置。
【請求項６】
請求項１乃至請求項５のいずれかに記載の送信装置から送信された信号を受信する受信装置であって、
情報を表示する表示手段を備え、
受信した前記ＴＭＣＣの中の前記余剰部分のビットパターンを抽出し、
前記抽出したビットパターンを再生して前記表示手段に表示することを特徴とする受信装置。
【国際調査報告】
2017018102.tif 000019
2017018102.tif 000020
2017018102.tif 000021
2017018102.tif 000022